(57)【要約】【課    題】従来ソファでは実現できないリラックスした使用態様を可能とするソファと、このソファを用いたソファシステムを提供すること。【解決手段】ソファ座面１を平面から見て多角形，円形，長円形などの外形に形成し、該ソファ座面１の外周縁の一部に、人が腰を下ろせる高さに形成した着座部２，３を設けると共に、該着座部２，３の前面側に、前記ソファ座面１の背もたれとして機能する背もたれ体１２を着脱可能に設けたこと。【選択図】    図１２
2004174087.tif 000002
【特許請求の範囲】
【請求項１】
ソファ座面を平面から見て多角形，円形，長円形などの外形に形成し、該ソファ座面の外周縁の一部に沿って、前記座面より高く人が腰を下ろせる高さに形成した着座部を設けると共に、該着座部の前面側に、前記ソファ座面の背もたれとして機能する背もたれ体を移動できるように設けたことを特徴とするソファ。
【請求項２】
ソファ座面の外側面と着座部の前面との対面した部位には、適宜前後幅の硬い隙間を形成し、該隙間に、背もたれ体の背面を支持する面状サポート体を差し込むことにより、前記背もたれ体を支持するようにした請求項１のソファ。
【請求項３】
面状サポート体は、隙間の長さ方向の任意の位置に移動させて、その位置で背もたれ体を支持するようにした請求項２のソファ。
【請求項４】
面状サポート体の前面と背もたれ体の背面を、面ファスナのような係止部材によって合着，分離自在に形成にした請求項２又は３のソファ。
【請求項５】
座面の外側面と着座部の前面の対向面の間に面状サポート体を支持する隙間を形成するため、その座面の内部に収装される当該座面のフレーム構造部材と着座部の内部に収装される当該着座部のフレーム構造部材とを連結構造乃至一体構造に形成し、この構造部材の外面に、クッション材や張地などにより前記座面と着座部を形成した請求項１〜４のいずれかのソファ。
【請求項６】
フレーム構造部材には該部材と別の脚部材を設けるか、又は、前記フレーム構造部材自体の一部を脚として機能する形態に形成して脚を設けた請求項１〜５のいずれかのソファ。
【請求項７】
ソファ座面を平面から見て多角形，円形，長円形などの外形に形成し、該ソファ座面の外周縁の一部に沿って、前記座面より高く人が腰を下ろせる高さに形成した着座部を設けると共に、前記ソファ座面の外側面と着座部の前面との対面した部位に適宜前後幅の硬い隙間を形成し、該隙間に、背もたれ体の背面を支持する面状サポート体を差し込むことにより、前記背もたれ体を支持するように形成したソファの座面に人が着座するとき、前記面状サポート体の位置を任意に設定して着座位置を決め、そこに着座した人がその着座姿勢でテーブルとして使用できるように、プレート部材に脚フレームを設けると共に、該脚フレームの接地部にキャスタ等を設けるか、又は、設けないで形成したテーブルを、前記ソファと組合せて使用するようにしたことを特徴とするソファシステム。
【請求項８】
座面の高さと同等乃至少し低い上面を有する移動可能なスツールを前記ソファと組合せて使用するようにした請求項７のソファシステム。
【請求項９】
着座部の上面に、物載せ台などとして機能する小形トレーを着脱可能に装着して前記ソファと組合せて使用するようにした請求項７又は８のソファシステム。
【発明の詳細な説明】
【０００１】
【発明の属する技術分野】
本発明は公知のソファに比べて使用形態を拡張するため、従来のソファには見られない機能を付与したソファと、このソファを用いたソファシステムに関する。
【０００２】
【従来の技術】
ソファは寛ろいだ姿勢で着座して休息したり、リラックスした雰囲気で談話を楽しむなど、寛ろいだ姿勢で着座できることを基本コンセプトとした椅子として様々な形態にデザインされ、種々の素材や構造、例えば、天然皮革，人工皮革，布地などによる張地、スプリングを始めとする各種のクッション材、フレーム構造などを用いて製造され、市場に供給されている。
【０００３】
従って、従来のソファが配置される場所は、オフィスやホテルなどの応接間やロビーなど、リラックスできる場所に配置されることが大半であった。
【０００４】
しかし、近年、オフィス等における業務形態の変化に伴い、オフィス等で使用するデスクや椅子などの家具により形成される業務環境の見直しがなされつつあり、その中で、人がリラックスした状態で関係者とコミュニケーションをとりつつオフィス内での業務等を行うことも、創造的な業務やオフィス作業を推進する上で有効であるとの認識が高まっているが、このような業務環境や空間を演出できるソファは未だ市場に提供されていない。
【０００５】
【発明が解決しようとする課題】
そこで本発明は、従来ソファでは実現できないリラックスした使用態様を可能とするソファと、このソファを用いたソファシステムを提供することを、その課題とするものである。
【０００６】
【課題を解決するための手段】
上記課題を解決することを目的としてなされた本発明ソファの構成は、ソファ座面を平面から見て多角形，円形，長円形などの外形に形成し、該ソファ座面の外周縁の一部に、人が腰を下ろせる高さに形成した着座部を設けると共に、該着座部の前面側に、前記ソファ座面の背もたれとして機能する背もたれ体を着脱可能に設けたことを特徴とするものである。ここで、前記着座部は、一例として、高さを４５０〜５５０ｍｍ程度に形成すると共に、その上面に人が腰を下したときその人の重量を支えるため、この着座部の内部にはフレーム構造を内装した構成とすることが望ましい。
【０００７】
上記の本発明ソファの構成においては、ソファ座面の外側面と着座部の前面との対面部位には、適宜幅の硬い隙間を形成し、該隙間に、上記の背もたれ体の背面を支持する面状サポート体を挿込み支持させるようにする。また、前記面状サポート体の前面と背もたれ体の背面を、面ファスナのような係止部材によって合着，分離自在の構造とすることもある。
【０００８】
上記の本発明ソファにおいて、そのソファの座面が四角形（正方形又は長方形）である場合には、当該座面の外周縁の一部に対して設ける着座部は、その座面の一つのコーナーを含む平面視Ｌ字状、乃至、該Ｌ字状と対称な平面形状、或は、凹状などにする。また、本発明ソファにおいて、その平面形状は平面四角形状のみならず、四角形以外の多角形，円形，長円形，楕円形，不定形など異形の平面輪郭を持った形状を任意に選択できる。
【０００９】
更に、本発明ソファにおいては、座面の外周上の一部に着座部を形成すると共に、前記座面の外側面と着座部の前面の対向面の間に面状サポート体を支持する隙間を形成するため、その座面の内部に収装される当該座面のフレーム構造部材と着座部の内部に収装される当該着座部のフレーム構造部材とを連結構造乃至一体構造に形成し、この構造部材の外面に、クッション材や張地などにより前記座面と着座部を形成する。また、本発明ソファが脚を有する形態のときは、前記フレーム構造部材に必要な脚部材を設ける。本発明では前記フレーム構造部材自体を脚として機能する部位を有する形態に形成することもある。
【００１０】
上記のように形成される本発明ソファでは、このソファの座面の高さに合わせてこの座面に人が掛けたとき、掛けた人がそのままの姿勢で卓板や天板として使用できるプレート部材に、それを支持する脚部材を設け、該脚部材にキャスタ等を設けるか、又は、設けないで形成したテーブルを当該ソファと組合せて使用できるようにしたり、或は、前記座面の高さと同等乃至少し低い平面を有する移動可能なスツールを前記ソファと組合せて使用できるようにすることにより、ソファと移動可能なテーブルやスツールとの組合せによるソファシステムに展開することができる。
【００１１】
【発明の実施の形態】
次に本発明ソファの実施の形態例、並びに、前記ソファを使用した本発明ソファシステムの実施の形態例について、図を参照し乍ら説明する。
【００１２】
図１は本発明ソファの第一例の平面図、図２は図１のソファの右側面図、図３は本発明ソファの第二例の平面図、図４は図３のソファの右側面図、図５は本発明ソファシステムに用いるスツールの一例の平面図、図６は図５のスツールの右側面図、図７は本発明ソファシステムに用いるテーブルの一例の右側面図、図８は図７のテーブルの正面図、図９は本発明ソファの着座部で物載せ台或は小テーブルとして使用する小形トレーの一例の左側面図、図１０は図９の小形トレーの背面図、図１１は図１０の小形トレーの平面図、図１２は本発明ソファを本発明ソファシステムとして利用している態様の一例の斜視図、図１３は本発明ソファにおけるフレーム構造部材と脚の要部の構成を説明するための部分断面図、図１４は座面のフレーム構造部材と着座部のフレーム構造部材とを分離した状態（結合前の状態）の斜視図、図１５は２つのフレーム構造部材を共用架台フレームにより結合する状態を説明するため、各構成部材を裏返しにした状態の斜視図である。
【００１３】
図１，図２において、１は平面視ほぼ正方形に形成したソファの座面で、内部に適宜のクッション材乃至クッション構造を具備して適宜の厚さに形成されている。従って、この座面１はその外周に４面の外側面１ａ〜１ｄを有する。
【００１４】
２，３は上記座面１における２つの外側面１ｃ，１ｄに沿って平面視ほぼ「状をなすように配置した２つの着座部で、この着座部２，３は、その上面をそこに人が容易に腰を下すことができる高さでほぼフラットな着座面に形成されている。
【００１５】
図１，図２の座面１と着座部２，３において、座面１は一例として一辺６００〜８００ｍｍ程度の平面大きさで、ここでは厚さが１５０〜２００ｍｍ程度に形成され、また、着座部２，３は、上面２ａ，３ａの幅（前後幅）が１３０〜２００ｍｍ程度で、その高さが略５００ｍｍ前後の高さに位置するように配置される。本発明において、上記の各数値は一例であってこれらに限られるものではない。
【００１６】
上記の座面１と２つの着座部２，３とは、座面１の２つの外側面１ｃ，１ｄと、着座部２，３における前記外側面１ｃ，１ｄに対面した前面２ｂ，３ｂとの間に、それぞれ隙間４，５を形成させるため、共用架台フレーム６に載架されている。７は前記架台フレーム６の下部に設けたソファの脚である。なお、前記脚７は下端の接地部にキャスタ（図示せず）を具備したものもある。
【００１７】
上記の座面１から脚７までの部材により、座面１の外周上に、座面１より高い着座部２，３を有する本発明ソファＳＦ１の一例を形成するが、このソファＳＦ１は座面１と着座部２，３の内部に、それぞれフレーム構造部材Ｆ１，Ｆ２を具備し、このフレーム構造部材Ｆ１，Ｆ２を上記架台フレーム６に結合されているので、座面１と着座部２，３のフレーム構造部材Ｆ１とＦ２の構成例、並びに、これらＦＩ，Ｆ２の共用架台フレーム６との結合態様の例について図１３〜図１５により説明する。なお、図１３〜図１５において、図１，図２と同一符号は同一部材，同一部位を示すものとする。
【００１８】
図１３〜図１５において、座面１の内部に収装されるフレーム構造部材Ｆ１は、座面１の四周側面１ａ〜１ｄに沿った平面視正方形状をなす、一例として木質系材料による立壁５１ａ〜５１ｄと、これらの立壁５１ａ〜５１ｄの下部に配設した木質系の下部枠体５２ａ〜５２ｄと、この枠体５２ａ〜５２ｄを介して立壁５１ａ〜５１ｄに結合させて取付けた底壁５３とから形成されている。
【００１９】
一方、着座部２，３に内装されるフレーム構造部材Ｆ２は、この着座部２，３の略Ｌ字状の平面形状に沿った平面形状を有する、例えば木質系材料による上壁６１と、同形状の底壁６２、並びに、上，下両壁６１，６２に取付けられる前，後壁６３，６４と、前記各壁６１〜６４に囲まれた空間の両エンドの開口部を塞ぐ左，右側壁６５，６６と、前記各壁６１〜６６により囲まれた空間内に立設された複数の補強壁６７とから形成されている。なお、６３ａは、前壁６３に設けた強度メンバ、６８は後壁６３と６４の交差隅部に当てがった補強メンバ、６９は前壁６３の内部に横架して設けた補強メンバである。
【００２０】
上記２つのフレーム構造部材Ｆ１，Ｆ２は、図１３，図１５に示すように、それらの下部枠体５２ａ〜５２ｄと底壁６２において、共用架台フレーム６に結合されることにより、当該構造部材Ｆ１とＦ２を内装した座面１と着座部２，３とが一体化される。ここで、共用架台フレーム６は、一例として木質系材料により形成された平面視ほぼ長方形をなす背が低い四周の立壁６ａ〜６ｄを有し、この立壁６ａ〜６ｃの内側に、フレーム構造部材Ｆ１，Ｆ２、脚７との結合用に平行な木質系の横メンバ６ｅ，６ｇを設けて形成されている。なお、上記における各フレーム構造部材Ｆ１，Ｆ２、並びに、共用架台フレーム６の材質は、木質系材料に限られるものではなく、合成樹脂製や金属製、或は、これらを複合使用する材料を使用することができる。
【００２１】
上記架台フレーム６には、結合用の横メンバ６ｅ〜６ｇに、座面１のフレーム構造部材Ｆ１がその下部枠体５２ａ〜５２ｄにおいて結合されると共に、当該座面１の外側面１ｄ（１ｃ）と着座部２，３の前面３ｂ（２ｂ）の間に隙間５（４）を形成するための空間を保持して着座部２，３のフレーム構造部材Ｆ２がその底壁６２において結合されている。
【００２２】
ここで、８は前記フレーム構造部材Ｆ１，Ｆ２と前記架台フレーム６を結合するためのボルト，ナットなどによる結合手段、９は座面１のフレーム構造部材Ｆ１の下部枠体５２と着座部２，３のフレーム構造部材Ｆ２の強度メンバ６３ａとを結合するためのＬ字状結合部材で、共用架台フレーム６による両構造部材Ｆ１，Ｆ２の結合を補完するためのものであり、結合手段８を用いて取付けられる。また、上記架台フレーム６における結合用の横メンバ６ｇには、脚７の横メンバに形成された結合部７ａがボルト，ナット等の結合手段１０により結合されている。
【００２３】
上記のようにして脚７を有する共用架台フレーム６に結合された本発明ソファの座面１と着座部２，３は、図１，図２に例示した形態を呈するが、着座部２，３の上面２ａ，３ａまでの床面からの高さは先にも述べたように床面から５００ｍｍ前後であるため、座面１の高さ４００ｍｍ前後から見ると、背もたれとしては高さが不足する。
【００２４】
そこで本発明では、座面１と着座部２，３を、それらのフレーム構造部材Ｆ１，Ｆ２において共用架台フレーム６に結合するとき、座面１の外側面１ｃ，１ｄと着座部２，３の前面２ｂ，３ｂとの対向面の間に形成した隙間４，５の所望の位置に、背もたれと同等の高さを有する面状サポート体１１の下部１１ａを差込み、このサポート体１１の前面に背もたれ体１２、具体的には背もたれ用クッションを配置して、本発明ソファの一例ＳＦ１（図１，図２参照）を形成している。なお、上記隙間４，５は、座面１と着座部２，３の内部のフレーム構造部材Ｆ１，Ｆ２によって、硬質の隙間に形成されている。
【００２５】
上記のサポート体１１の前面と背もたれ体１２の後面の対向面には、図示しないが、面状ファスナの雌雄部材を取付け、面状サポート体１１の前面に背もたれ体１２の背面を絡着させて両者を着脱自在の状態で一体化する。この一体化手段は、面ファスナ以外のスナップボタン等を用いてもよい。また、本発明では、背もたれ体１２の背面を、面状サポート体１１と一体に形成した背もたれ体１２を用いることもある。いずれの場合においても、背もたれ体１２は、着座部２，３の前面において、所望の位置に移動して配置，利用することができる。
【００２６】
以上に説明した本発明ソファＳＦ１は、いわば一人掛け用であるが、本発明では、図２，図３に示すように、座面１を二人掛け用や三人掛け用（図示せず）に形成したり、或は、それ以上の人数用に形成する一方、着座部２，３も形成された座面１の大きさに合せた大きさに形成して、本発明ソファの第２例ＳＦ２や、図示しないその他の例の本発明ソファに形成することができる。図３，図４において、図１，図２と同一部位、同一部材は同一符号で示している。
【００２７】
また、着座部２，３の平面から見た形状も、図１〜図４に例示した平面視Ｌ字状、或は、それと対称な平面形状のほか、座面１の三つの側面を凹状に囲む形態、或は、これとは逆に座面１の後方側の一つの側面のみに対して設けられる形態であってもよい。
【００２８】
更に、座面１の平面形状が上記で挙げた正方形や長方形以外の多角形、或は、円形，長円形などの形状である場合、着座部２，３はその平面形状を、座面１の外形に沿った形状にするだけで、他の構成は先に説明した着座部２，３と変わるところはない。
【００２９】
次に、先に述べた本発明ソファＳＦ１，ＳＦ２を用い、他の家具などと組合せてソファシステムを構成する例について、図５〜図１２を参照して説明する。
【００３０】
図５，図６は、上記の本発明ソファＳＦ１，ＳＦ２と組合せて使用するスツールＳＴの平面図と右側面図である。このスツールＳＴは、本発明ソファＳＦ１，ＳＦ２の座面１とほぼ同一形態に形成された座面２１を、キャスタ７ｂ付きの脚７を有する架台フレーム６に架装して形成したものである。このスツールＳＴの座面２１の高さは、本発明ソファＳＦ１，ＳＦ２の座面１と同等か、それより少し低い方が望ましいが、これは座面１よりも高い座面２１を排除する趣旨ではない。このスツールＳＴを用いると、このスツールＳＴの座面２１の上に足を投げ出した姿勢で本発明ソファＳＦ１又はＳＦ２にリラックス姿勢で掛けることを可能にする（図１２参照）。なお、スツールＳＴの脚７は、キャスタ７ｂを設けないタイプもある。
【００３１】
図７，図８は、本発明ソファＳＦ１，ＳＦ２と組合せて使用するテーブルＴＡの側面図と正面図である。このテーブルＴＡは、後部側３１ａが垂直面に垂下形成された天板３１を、Ｌ字状（又は逆Ｌ字状）をなすように形成された脚３２ａと支柱３２ｂによる脚フレーム３２によって下から支持したことにより、脚フレーム３２と天板３１とが側面から見てコ字状をなす形態になるから、その脚３２ａを本発明ソファＳＦ１又はＳＦ２の共用架台フレーム６の下に入れると、天板３１が本発明ソファＳＦ１，ＳＦ２の座面１の上方に、当該座面１を覆うように配置できるので、本発明ソファＳＦ１又はＳＦ２に、その背もたれ体１２に身体をあずけてリラックス姿勢で掛けているとき、その姿勢のままでこのテーブルＴＡの天板３１を利用することができる（図１２参照）。上記脚３２ａは、その接地部にキャスタ（図示せず）を設けたものもある。
【００３２】
図９〜図１１は、本発明ソファＳＦ１又はＳＦ２における着座部２，３の上面２ａ又は３ａに装着することにより、この着座部２，３に、物載せ台、或は、小テーブルとして機能する部を形成することができるようにした小形トレーＭＴの例を示したもので、図９は左側面図、図１０は背面図、並びに、図１１は図１０の平面図である。
【００３３】
上記の小形トレーＭＴは、平面視円形、或は、任意の多角形、長円形、楕円形などの小形のプレート４１の下面に、着座部２（３）をその前後から挟むように形成した金属板や合成樹脂板などの帯状弾性体による支持フレーム４２を設けて形成されている。ここでは、支持フレーム４２を、長目の前面側片４２ａと短か目の後面側片４２ｂによりほぼ倒Ｌ字状をなすように形成しており、前面側片４２ａの下端には、先にも述べた隙間４（又は５）に嵌入される安定支持用の水平バー部材４２ｃが設けられている。
【００３４】
上記の小形トレーＭＴは、その支持フレーム４２の前，後面側片４２ａ，４２ｂと、隙間４（５）に入るバー部材４２ｃにより着座部２（３）の前，後面を挟持させると共に水平バー部材４２ｃを隙間４（５）に入れた態様で、当該着座部２（３）の上面２ａ（３ａ）にセットし、プレート４１の上面を安定な状態で物載せ台や小形テーブルのように利用することができる（図１２参照）。
【００３５】
【発明の効果】
本発明ソファ並びにそのソファを用いた本発明ソファシステムは以上の通りであって、ソファ座面を平面から見て多角形，円形，長円形などの外形に形成し、該ソファ座面の外周縁の一部に沿って、前記座面より高く人が腰を下ろせる高さに形成した着座部を設けると共に、該着座部の前面側に、前記ソファ座面の背もたれとして機能する背もたれ体を着脱可能に設けてソファを形成したので、座面以外の部位である着座部にも人が腰を下ろすことができ、従って、ソファの座面に座った者と着座部に腰を下ろした者とが、互にリラックスした姿勢で会話等を交すことができるという、従来のソファにない使い勝手を展開することが可能になる。
【００３６】
また、本発明ソファでは、背もたれクッションなどの背もたれ体を着座部の前面側において所望の位置に移動させて使用することができるので、ソファの背もたれを自分の座りたい位置に合せて配置できることとなり、上記の使い勝手の良さを一段と向上させる。
【００３７】
更に、上記の良好な使い勝手を実現できる本発明ソファに、スツールを組合せて使用すると、更にリラックスした着座姿勢や着座スタイルを採ることが可能になるので、このソファーに小形テーブルやトレーを組合せてリラックス姿勢のままで前記テーブルやトレーを利用して、パソコン等のＯＡ機器を使用したり、書類を用いた打合せなどを行うことも可能となり、近時盛んに見直されているオフィス等における全く新たな業務環境の創成、並びに、演出をすることができる。
【図面の簡単な説明】
【図１】本発明ソファの第一例の平面図
【図２】図１のソファの右側面図
【図３】本発明ソファの第二例の平面図
【図４】図３のソファの右側面図
【図５】本発明ソファシステムに用いるスツールの一例の平面図
【図６】図５のスツールの右側面図
【図７】本発明ソファシステムに用いるテーブルの一例の右側面図
【図８】図７のテーブルの正面図
【図９】本発明ソファの着座部で物載せ台或は小テーブルとして使用する小形トレーの一例の左側面図
【図１０】図９の小形トレーの背面図
【図１１】図１０の小形トレーの平面図
【図１２】本発明ソファを本発明ソファシステムとして利用している態様の一例の斜視図
【図１３】本発明ソファにおけるフレーム構造部材と脚の要部の構成を説明するための部分断面図
【図１４】座面のフレーム構造部材と着座部のフレーム構造部材とを分離した状態（結合前の状態）の斜視図
【図１５】２つのフレーム構造部材を共用架台フレームにより結合する状態を説明するため、各構成部材を裏返しにした状態の斜視図
【符号の説明】
１        座面
２，３    着座部
４，５    隙間
６        共用架台フレーム
７        脚
１１        面状サポート体
１２        背もたれ体
ＳＴ        スツール
ＴＡ        テーブル
ＭＴ        小形トレー
【図１】
2004174087.tif 000003
【図２】
2004174087.tif 000004
【図３】
2004174087.tif 000005
【図４】
2004174087.tif 000006
【図５】
2004174087.tif 000007
【図６】
2004174087.tif 000008
【図７】
2004174087.tif 000009
【図８】
2004174087.tif 000010
【図９】
2004174087.tif 000011
【図１０】
2004174087.tif 000012
【図１１】
2004174087.tif 000013
【図１２】
2004174087.tif 000014
【図１３】
2004174087.tif 000015
【図１４】
2004174087.tif 000016
【図１５】
2004174087.tif 000017